(57)【要約】【課題】自動車用フロントカバーとして、装着して走行することにより、走行中に衝突する無数の羽虫類の死骸や体液が車体表面に付着するのを防止し、車体の外観を良好に維持して、汚れの沈着、塗装や素地の劣化等を回避でき、車体に対する着脱が容易で不使用時には折り畳んで保管でき、構造的に簡素で低コストで製作し得るものを提供する。【解決手段】フロントノーズ２ａのフロントフード２０及び両側フェンダー２１，２１とフロントバンパー２２外面を覆う可撓性シート１０からなり、フロントグリル２７の通気口に対応する開口部１７を有し、周縁部の複数箇所にフック具３を備える。【選択図】図１
2008037150.tif 000002
【特許請求の範囲】
【請求項１】
車体フロント側の少なくともフロントフード及び両側フェンダーの外面前部側とフロントバンパー外面を覆う可撓性シートからなり、フロントグリルの通気口に対応する開口部を有すると共に、周縁部の複数箇所に車体に対する係止手段を備えてなる自動車用フロントカバー。
【請求項２】
可撓性シートのシート基材がゴム製である請求項１記載の自動車用フロントカバー。
【請求項３】
可撓性シートのシート基材裏面側の少なくとも一部にクッション繊維層が設けられてなる請求項１又は２に記載の自動車用フロントカバー。
【請求項４】
車体フロント側の各ランプ部及びナンバープレート部に対応する位置が、開口部又は透明カバー部をなする請求項１〜３のいずれかに記載の自動車用フロントカバー。
【請求項５】
可撓性シートは、車体フロント側への装着時の上縁がフロントフードの上縁部に略一致すると共に、該上縁に前記係止手段としてフロントフードの上縁部に係止する複数個のフック具が設けられてなる請求項１〜４のいずれかに記載の自動車用フロントカバー。
【発明の詳細な説明】
【技術分野】
【０００１】
本発明は、自動車の走行中に使用できる自動車用フロントカバーに関する。
【背景技術】
【０００２】
自動車用のカバーとしては、ガレージ入庫状態で車体全体を覆うもの、主として夏期において車内への日射を遮るためにフロントガラス面に装着するもの、冬期においてガラス面への霜の付着を防止するためにフロントガラス面を装着するもの等があるが、いずれも停車状態で用いるものに限られている。
【０００３】
しかるに、自動車の走行中には、塵埃が付着するだけでなく、冬期を除いて地上付近を飛んでいる無数の小さな羽虫類が車体にぶつかるため、その死骸や体液の付着によって特にフロントノーズの表面が顕著に汚れ、見栄えが悪い上、汚れの沈着、塗装や素地の劣化等の要因となる。
【発明の開示】
【発明が解決しようとする課題】
【０００４】
本発明は、上述の状況に鑑み、自動車用フロントカバーとして、装着して走行することにより、その走行中に衝突する無数の羽虫類の死骸や体液が車体表面に付着するのを防止し、もって車体の外観を良好に維持して、汚れの沈着、塗装や素地の劣化等を回避できると共に、車体に対する着脱が容易であって不使用時には折り畳んで保管でき、また構造的に簡素であって低コストで製作し得るものを提供することを目的としている。
【課題を解決するための手段】
【０００５】
上記目的を達成するために、本発明の請求項１に係る自動車用フロントカバーは、図面の参照符号を付して示せば、車体フロント側（フロントノーズ２ａ）の少なくともフロントフード２０及び両側フェンダー２１，２１の外面前部側とフロントバンパー２２外面を覆う可撓性シート１０からなり、フロントグリル２７の通気口に対応する開口部１７を有すると共に、周縁部の複数箇所に車体に対する係止手段（フック具３）を備えてなる構成としている。
【０００６】
請求項２の発明は、上記請求項１の自動車用フロントカバー１において、可撓性シート１０のシート基材１１がゴム製である構成としている。
【０００７】
請求項３の発明は、上記請求項１又は２の自動車用フロントカバー１において、可撓性シート１０のシート基材１１裏面側の少なくとも一部にクッション繊維層１２が設けられてなる構成としている。
【０００８】
請求項４の発明は、上記請求項１〜３のいずれかの自動車用フロントカバー１において、車体フロント側の各ランプ部（ヘッドライト２３、サイドウインカー２５、フロントウインカー２６）及びナンバープレート２４部に対応する位置が、開口部１３〜１６又は透明カバー部４をなすものとしている。
【０００９】
請求項５の発明は、上記請求項１〜４のいずれかの自動車用フロントカバー１において、可撓性シート１０は、車体フロント側への装着時の上縁がフロントフード２０の上縁部２０ａに略一致すると共に、該上縁に前記係止手段としてフロントフード２０の上縁部２０ａに係止する複数個のフック具３が設けられてなる構成としている。
【発明の効果】
【００１０】
請求項１の発明に係る自動車用フロントカバーによれば、これを車体フロント側に装着して走行することにより、付近を飛んでいる羽虫類が衝突しても、その死骸や体液は当該フロントカバーに付着するから、これに覆われた車体表面の汚れは防止される。しかして、このフロントカバーにはフロントグリルの通気口に対応する開口部を有するから、エンジン冷却用の空気流通を妨げない。また、このフロントカバーは、使用後に車体から取り外して水洗等で簡単に汚れを除去できると共に、可撓性であるため、不使用時には折り畳んで嵩の低い状態でトランク等に保管できる上、合成ゴム等の高分子材料の成形によって低コストで製作できる。
【００１１】
請求項２の発明に係る自動車用フロントカバーによれば、可撓性シートのシート基材がゴム製であるから、その伸縮性を利用して皺のない緊張状態で車体に装着できると共に、自動車のフロントノーズの外形に対応した立体形状に容易に成形でき、もって装着状態で全体が車体に密着して良好な外観が得られる。
【００１２】
請求項３の発明によれば、可撓性シートのシート基材裏面側の全体もしくは要所にクッション繊維層を設けることにより、当該カバーの装着で車体表面が傷むのを防止できると共に、該クッション繊維層によって外側からの衝撃も吸収緩和して車体の損傷を抑制できる。
【００１３】
請求項４の発明に係る自動車用フロントカバーでは、車体フロント側の各ランプ部及びナンバープレート部に対応する位置が開口部又は透明カバー部をなすから、当該カバーがヘッドライトの投光機能やウインカー及びナンバープレートの表示機能を妨げる懸念はない。
【００１４】
請求項５の発明に係る自動車用フロントカバーによれば、その装着によって車体のフロントフード全体を含む広い領域の汚れを防止できる上、その上端側を係止手段によってフロントフードの上縁部に係着できるから、それぞけ車体に対する装着強度及び装着安定性が向上することになる。
【発明を実施するための最良の形態】
【００１５】
以下、本発明に係る自動車用フロントカバーの一実施形態について、図面を参照して具体的に説明する。図１は自動車用フロントカバー１と対応する４ドアセダン型の普通乗用車２とを分離状態で示し、図２は同じく装着状態で示している。
【００１６】
図１及び図２に示すように、この自動車用フロントカバー１は、普通乗用車２のフロントノーズ２ａの外形に対応して、そのフロントフード２０の全体を含む上面側を覆うトップカバー部１０ａと、左右のフロントフェンダー２１，２１及びフロントバンパー２２の左右側部を覆うサイドカバー部１０ｂ，１０ｂと、フロントバンパー２２の前部全体を含む前部側を覆うフロントカバー部１０ｃとからなる立体形状に成形された可撓性シート１０にて構成されている。
【００１７】
この可撓性シート１０は、図５に示すように、ゴム製のシート基材１１の裏面側の略全体にモケットの貼着によるクッション繊維層１２が形成され、繊維層１２の全面が柔らかい起毛面１２ａになっている。また、該可撓性シート１０の上縁（後縁）の左右２か所と、側端縁の左右２か所と、下端縁の左右及び前部の４か所とに、フック具３…が固設されている。なお、各フック具３は、図６に示すように、一本の線材を略環形にして二重のＵ字形をなすように折曲した形状を有しており、シート基材１１の成形時のインサートにより、内向きフックをなすように基部側３ａを該シート基材１１の厚肉部１１ａに埋入一体化している。
【００１８】
しかして、可撓性シート１０のサイドカバー部１０ｂ，１０ｂからフロントカバー部１０ｃにわたる領域には、普通乗用車２の左右の各ヘッドライト２３に対応した略楕円形の開口部１３、ナンバープレート２４に対応した横長矩形の開口部１４、左右の各サイドウィンカー２５に対応した小楕円形の開口部１５、左右の各フロントウィンカー２６に対応した小円形の開口部１６、フロントグリル２７に対応した横スリット状の開口部１７、フロントバンパー２２の左右両側の各通気孔２８に対応した横スリット状の開口部１８、がそれぞれ設けてある。
【００１９】
図４に示すように、横スリット状の開口部１８（なお、図示しないが、横スリット状の開口部１７においても）は前記各通気孔２８（図示しないが前記小円形の開口部１６においても）の内壁に沿ったひだ１８ａを内側に向けて突設してある。このように、開口部１８（１７）に各通気孔２８（開口部１６）の内壁に沿うひだ１８ａを突設することによって、ひだ１８ａが上記各内壁に密接し、開口部１８（１７）の周縁のカバー１０ｃが走行中の風圧等によってフロントグリル２７やフロントバンパー２２から剥離することがなく安定して使用することができる。
【００２０】
上記構成の自動車用フロントカバー１は、図２に示すように、普通乗用車２の走行に際し、そのフロントノーズ２ａの略全体を覆うように被せ、各フック具３を車体側の端縁部に係着して固定する。例えば、上縁（後縁）側については図３の如くフロントフード２０の上縁部２０ａに、下縁側については図４の如くフロントバンパー２２の下縁部２２ａに、それぞれフック具３を係止する。左右側縁についても同様にフロントフェンダー２１及びフロントバンパー２２の下縁部２１ａ，２２ａにフック具３を係止する。なお、図３において、２ｂはフロントガラス、２９ａはカウルパネル、２９ｂはカウルトップカバー、５はカウルトップカバー２９ｂをカウルパネル２９ａに固定するクリップ、６はカウル部とフロントフード２０上端部との間を封止するフードシールである。
【００２１】
かくしてフロントカバー１を装着した普通乗用車２では、走行中に付近を飛んでいる無数の小さな羽虫類が衝突しても、その死骸や体液は当該フロントカバー１に付着するから、これに覆われたフロントフード２０全体を含むフロントローズ２ａの広い領域の汚れが防止され、もって車体の外観を良好に維持して、汚れの沈着、塗装や素地の劣化等を回避できる。しかも、該フロントカバー１の開口部１７，１８を介してフロントグリル２７及びフロントバンパー２２の通気孔２８の通気を確保できるから、エンジンの空冷やエアコンの熱交換等に支障がなく、また該フロントカバー１の開口部１３〜１６により、ヘッドライト２３，２３による投光、ナンバープレート２４の視認、サイド及びフロントのウィンカー２５，２６の表示が妨げられることもないから、当フロントカバー１の装着によって走行性が阻害される懸念はない。
【００２２】
しかして、このフロントカバー１は、可撓性シート１０がフロントノーズ２ａの外形に対応した立体形状をなすことに加え、ゴム製のシート基材１１の伸縮性を利用して皺や弛みのない緊張状態で車体に装着できるから、風圧による捲くれ上がりや剥落が防止されると共に、装着状態で全体が車体に密着して自動車の外観も良好になり、更に裏面側のクッション繊維層１２により、当該カバー１の装着で車体表面が傷むのを防止できると共に、外側からの衝撃も吸収緩和して車体の損傷を抑制できる。
【００２３】
また、このフロントカバー１では、フック具３…によって車体に対する着脱操作を容易に行え、使用後には車体から取り外して水洗等で簡単に汚れを除去できると共に、可撓性であるために不使用時には折り畳んで嵩の低い状態でトランク等に保管できる上、簡素な構成であるために低コストで製作できる。
【００２４】
なお、上記実施形態のフロントカバー１では車体側のヘッドライト２３，２３やナンバープレート２４、サイド及びフロントの各ウィンカー２５，２６に対応する部分を開口部１３〜１６としているが、例えば図７に示すように、これら開口部１３〜１６を透明カバー４で塞いだ構成としてもよい。このような透明カバー４は、可撓性シート１０の各開口部１３〜１６に、対応するサイズ及び形状の透明性合成樹脂シートを周縁部で接着又は溶着すればよく、これによってヘッドライト２３，２３やナンバープレート２４、サイド及びフロントの各ウィンカー２５，２６の汚れも防止できる。
【００２５】
一方、上記実施形態のフロントカバー１では車体に対する係止手段としてフック具３を備えるが、本発明では例えばマグネット、クリップ、締付ねじ等の他の係止手段も採用可能である。しかして、これら係止手段の具体的構造と数及び形成位置、可撓性シート１０に対する取付構造は、種々設定可能である。
【００２６】
可撓性シート１０のクッション繊維層１２は、実施形態のようにシート基材１１の裏面側の略全体に設けるのが最適であるが、装着状態で車体側と強く接触する領域等、部分的に設ける構成としてもよい。なお、このクッション繊維層１２は、例示したモケットのような起毛布の他、不織布等も利用可能である。
【００２７】
上記実施形態のフロントカバー１は可撓性シート１０の上縁が車体のフロントフード２０の上縁部２０ａに達するものであるが、本発明の自動車用フロントカバーは、車体フロント側の少なくともフロントフード２０及び両側フェンダー２１，２１の外面前部側とフロントバンパー２２外面を覆うサイズであればよい。ただし、実施形態のように可撓性シート１０の上縁が車体のフロントフード２０の上縁部２０ａに略一致するものとすれば、該カバー１の上端側を係止手段によってフロントフード２０の上縁部２０ａに係着できるから、それぞけ車体に対する装着強度及び装着安定性が向上することになる。
【００２８】
更に、本発明の自動車用フロントカバーは、例示したようなフロントノーズを有する普通乗用車に限らず、ワゴンタイプ、ミニバンタイプ、ワンボックスタイプ等の各種乗用車や、マイクロバス、軽トラック等にも適用でき、それぞれの車種における車体フロント部の外形に対応した形状とサイズで、ヘッドライト等のランプ部の位置と大きさ、ナンバープレートの位置、フロントグリルの形状等に対応した開口部や透明カバー部を有するものとすればよい。
【図面の簡単な説明】
【００２９】
【図１】本発明の一実施形態に係る自動車用フロントカバーと、これを装着する普通乗用車を示す斜視図である。
【図２】同フロントカバーを装着した普通乗用車の斜視図である。
【図３】同フロントカバーの上縁側の係止状態を示す縦断側面図である。
【図４】同フロントカバーの下縁側の係止状態を示す縦断側面図である。
【図５】同フロントカバーの要部の断面図である。
【図６】同フロントカバーのフック具部分を示す斜視図である。
【図７】同フロントカバーの他の構成例を示す要部の縦断側面図である。
【符号の説明】
【００３０】
１          自動車用フロントカバー
１０        可撓性シート
１１        シート基材
１２        クッション繊維層
１３〜１７  開口部
２          普通乗用車
２ａ        フロントノーズ
２０        フロントフード
２０ａ      上縁部
２１        フロントフェンダー
２２        フロントバンパー
２３        ヘッドライト（ランプ部）
２４        ナンバープレート
２５        サイドウィンカー（ランプ部）
２６        フロントウィンカー（ランプ部）
２７        フロントグリル
３          フック具
【図１】
2008037150.tif 000003
【図２】
2008037150.tif 000004
【図３】
2008037150.tif 000005
【図４】
2008037150.tif 000006
【図５】
2008037150.tif 000007
【図６】
2008037150.tif 000008
【図７】
2008037150.tif 000009